(57)【要約】【課題】使用者の歯と歯茎への衝撃を緩和させ、もって、歯と歯茎に優しい歯ブラシを提供する。【解決手段】複数の毛束２１と、毛束２１が植設されている植毛台２０と、使用者が把持可能なハンドル部３と、植毛台２０とハンドル部３とを連結する連結部４と、を備える歯ブラシであって、  連結部４は、  基端４０ａ側が、ハンドル部３の先端３ａ側に設けられ、  先端４０ｂ側が、連結部４と植毛台２０の下面２０ｂとの間に空間Ｓが形成されるように、植毛台２０に設けられている。【選択図】図１
2019216908.tif 000002
【特許請求の範囲】
【請求項１】
複数の毛束と、
前記毛束が植設されている植毛台と、
使用者が把持可能なハンドル部と、
前記植毛台と前記ハンドル部とを連結する連結部と、を備える歯ブラシであって、
前記連結部は、
基端側が、前記ハンドル部の先端側に設けられ、
先端側が、前記連結部と前記植毛台の下面との間に空隙が形成されるように、前記植毛台に設けられてなる歯ブラシ。
【請求項２】
前記連結部の先端側は、前記植毛台の下面先端に設けられてなる請求項１に記載の歯ブラシ。
【発明の詳細な説明】
【技術分野】
【０００１】
本発明は、歯ブラシに関し、特に、歯と歯茎に優しい歯ブラシに関する。
【背景技術】
【０００２】
従来の歯ブラシとして、特許文献１に記載のような歯ブラシが知られている。この歯ブラシは、植毛部、首部およびハンドル部から構成され、植毛部の先端から首部までが直線状に形成されているものである。
【先行技術文献】
【特許文献】
【０００３】
【特許文献１】特開平５−１５４１１号公報
【発明の概要】
【発明が解決しようとする課題】
【０００４】
しかしながら、上記のような歯ブラシは、使用者がハンドル部を把持し、歯磨きを行う際、力を入れ過ぎると、植毛部に過剰な圧力がかかり、もって、使用者の歯と歯茎を傷付けてしまうという問題があった。
【０００５】
そこで、本発明は、上述の事情に鑑み、使用者の歯と歯茎への衝撃を緩和させ、もって、歯と歯茎に優しい歯ブラシを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１に係る歯ブラシは、複数の毛束（２１）と、
前記毛束（２１）が植設されている植毛台（２０）と、
使用者が把持可能なハンドル部（３）と、
前記植毛台（２０）と前記ハンドル部（３）とを連結する連結部（４）と、を備える歯ブラシ（１）であって、
前記連結部（４）は、
基端（４０ａ）側が、前記ハンドル部（３）の先端（３ａ）側に設けられ、
先端（４０ｂ）側が、前記連結部（４）と前記植毛台（２０）の下面（２０ｂ）との間に空隙（空間Ｓ）が形成されるように、前記植毛台（２０）に設けられてなることを特徴としている。
【０００８】
また、請求項２に係る歯ブラシは、上記請求項１に記載の歯ブラシ（１）において、前記連結部（４）の先端（４０ｂ）側は、前記植毛台（２０）の下面（２０ｂ）先端（２０ｂ１）に設けられてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る歯ブラシによれば、連結部（４）の先端（４０ｂ）側が、連結部（４）と植毛台（２０）の下面（２０ｂ）との間に空隙（空間Ｓ）が形成されるように、植毛台（２０）に設けられているから、連結部（４）の先端（４０ｂ）側を基点として、植毛台（２０）が、図２（ａ）に示すように、上下方向（矢印Ｙ１方向）に可動できることとなる。これにより、使用者がハンドル部（３）を把持し、歯磨きを行う際、力を入れ過ぎたとしても、植毛台（２０）の動きに合わせて複数の毛束（２１）も上下方向（図２（ａ）に示す矢印Ｙ１方向）に可動することとなるから、その力が使用者の歯と歯茎に直接伝わらないこととなる。すなわち、植毛台（２０）の動きに合わせて複数の毛束（２１）も上下方向（図２（ａ）に示す矢印Ｙ１方向）に可動することによって、植毛部（２）に伝わる圧力が緩和され、もって、使用者の歯と歯茎への衝撃が緩和されることとなる。これにより、歯と歯茎に優しい歯ブラシを提供することが可能となる。
【００１１】
また、請求項２に係る歯ブラシによれば、連結部（４）の先端（４０ｂ）側が、植毛台（２０）の下面（２０ｂ）先端（２０ｂ１）に設けられているから、使用者がハンドル部（３）を把持し、歯磨きを行う際、複数の毛束（２１）が使用者の歯と歯茎に接触すると、植毛台（２０）が、図２（ａ）に示すように上下方向（矢印Ｙ１方向）に可動することができると共に、図２（ｂ）に示すように左右方向（矢印Ｙ２方向）に可動することができることとなる。これにより、植毛部（２）に伝わる圧力がより緩和され、もって、使用者の歯と歯茎への衝撃がより緩和されることとなる。それゆえ、歯と歯茎により優しい歯ブラシを提供することが可能となる。
【図面の簡単な説明】
【００１２】
【図１】（ａ）は、本発明の一実施形態に係る歯ブラシを例示する側面図、（ｂ）は、同実施形態に係る歯ブラシを例示する底面図である。
【図２】（ａ）は、同実施形態に係る歯ブラシの植毛部の部分の拡大側面図、（ｂ）は、同実施形態に係る歯ブラシの植毛部の部分の拡大平面図である。
【発明を実施するための形態】
【００１３】
以下、本発明に係る歯ブラシの一実施形態について、図面を参照して具体的に説明する。なお、以下の説明において、上下左右の方向を示す場合は、図示正面から見た場合の上下左右をいうものとする。
【００１４】
図１に示すように、歯ブラシ１は、植毛部２と、ハンドル部３と、連結部４とが一体成形されたものである。
【００１５】
植毛部２は、図１，図２（ｂ）に示すように、平面視半楕円形状の植毛台２０と、この植毛台２０の植毛面（上面）２０ａに複数植設されている複数本の用毛を束ねた毛束２１と、で構成されている。
【００１６】
一方、ハンドル部３は、図１（ａ）に示すように、側面視長尺の略矩形状に形成され、当該歯ブラシ１を使用する際に、使用者が把持するものである。
【００１７】
他方、連結部４は、図１に示すように、植毛部２とハンドル部３とを連結するものであって、側面視く形状の連結部本体４０を有している。この連結部本体４０の基端４０ａは、図１に示すように、ハンドル部３の先端３ａと一体的に連結されている。そして、連結部本体４０の先端４０ｂは、図１に示すように、植毛台２０の先端２０ｂ１側に位置する下面２０ｂに一体的に連結されている。より詳しく説明すると、連結部本体４０の先端４０ｂは、図１（ａ），図２（ａ）に示すように、連結部本体４０（連結部４）と植毛台２０の下面２０ｂとの間に空間Ｓが形成されるように、植毛台２０の先端２０ｂ１側に位置する下面２０ｂに一体的に連結されている。これにより、図２（ａ）に示すように、連結部本体４０の先端４０ｂを基点として、植毛台２０が、通常位置（実線位置）から、植毛台２０の基端２０ｂ２側に位置する下面２０ｂが連結部本体４０に接触する位置（破線位置）まで、上下方向（矢印Ｙ１方向）に可動できることとなる。なお、この際、複数の毛束２１も、植毛台２０の動きに合わせて可動することとなる。
【００１８】
しかして、以上説明した本実施形態によれば、連結部本体４０（連結部４）と植毛台２０の下面２０ｂとの間に空間Ｓが形成されるように、連結部本体４０の先端４０ｂが植毛台２０の先端２０ｂ１側に位置する下面２０ｂに一体的に連結されることによって、連結部本体４０の先端４０ｂを基点として、植毛台２０が、上下方向（図２（ａ）に示す矢印Ｙ１方向）に可動できることとなる。これにより、使用者がハンドル部３を把持し、歯磨きを行う際、力を入れ過ぎたとしても、植毛台２０の動きに合わせて複数の毛束２１も上下方向（図２（ａ）に示す矢印Ｙ１方向）に可動することとなるから、その力が使用者の歯と歯茎に直接伝わらないこととなる。すなわち、植毛台２０の動きに合わせて複数の毛束２１も上下方向（図２（ａ）に示す矢印Ｙ１方向）に可動することによって、植毛部２（複数の毛束２１）に伝わる圧力が緩和され、もって、使用者の歯と歯茎への衝撃が緩和されることとなる。これにより、歯と歯茎に優しい歯ブラシを提供することが可能となる。
【００１９】
なお、本実施形態にて示した形状等はあくまで例示であり、特許請求の範囲に記載された本発明の要旨の範囲内において、種々の変形・変更が可能である。
【００２０】
例えば、本実施形態においては、連結部本体４０の先端４０ｂが植毛台２０の先端２０ｂ１側に位置する下面２０ｂに一体的に連結される例を示したが、それに限らず、植毛台２０が、上下方向（図２（ａ）に示す矢印Ｙ１方向）に可動できれば、すなわち、連結部本体４０（連結部４）と植毛台２０の下面２０ｂとの間に空間Ｓ（図１（ａ），図２（ａ）参照）が形成できれば、連結部本体４０の先端４０ｂは、植毛台２０のどの位置に設けられていても良い。例えば、植毛台２０の下面２０ｂ中央側に一体的に連結されていても良いし、植毛台２０の下面２０ｂ中央側よりもやや先端２０ｂ１側に一体的に連結されていても良いし、植毛台２０の下面２０ｂ中央側よりもやや基端２０ｂ２側に一体的に連結されていても良い。
【００２１】
しかしながら、連結部本体４０の先端４０ｂは、植毛台２０の先端２０ｂ１側に位置する下面２０ｂに一体的に連結した方が好ましい。それは以下の理由によるものである。
【００２２】
植毛台２０は、図１（ａ），図２（ａ）に示すように、先端２０ｂ１側に位置する下面２０ｂに一体的に連結されている連結部本体４０の先端４０ｂだけで支持されている。すなわち、植毛台２０の先端２０ｂ１側から基端２０ｂ２側に向かう植毛台２０の長手方向のうち、連結部本体４０の先端４０ｂに支持されている部分（植毛台２０の先端２０ｂ１部分）から植毛台２０の基端２０ｂ２側まで（図１（ａ），図２（ａ）に示す長さＬ部分）、何の部材にも支持されていない状態である。しかるに、図２（ａ）に示すように、連結部本体４０の先端４０ｂを基点として、植毛台２０が、上下方向（矢印Ｙ１方向）に可動する際、植毛台２０の先端２０ｂ１側から基端２０ｂ２側に向かう植毛台２０の長手方向のうち、何の部材にも支持されていない距離Ｌが長いため、植毛台２０の可動域が広がることとなる。しかして、植毛台２０の可動域が広がると、植毛部２（複数の毛束２１）に伝わる圧力がより緩和され、もって、使用者の歯と歯茎への衝撃がより緩和されることとなる。これにより、歯と歯茎により優しい歯ブラシを提供することが可能となる。
【００２３】
またさらには、連結部本体４０の先端４０ｂが、植毛台２０の先端２０ｂ１側に位置する下面２０ｂに一体的に連結されることにより、図２（ｂ）に示すように、連結部本体４０の先端４０ｂを基点として、植毛台２０が、通常位置（実線位置）から、通常位置に対してやや傾斜する位置（破線位置）まで、左右方向（矢印Ｙ２方向）に可動できることとなる。これは、植毛台２０の先端２０ｂ１側から基端２０ｂ２側に向かう植毛台２０の長手方向のうち、何の部材にも支持されていない距離Ｌが長いためである。なお、植毛台２０が左右方向（図２（ｂ）に示す矢印Ｙ２方向）に可動する際、複数の毛束２１も、植毛台２０の動きに合わせて可動することとなる。
【００２４】
しかして、使用者がハンドル部３を把持し、歯磨きを行う際、複数の毛束２１が使用者の歯と歯茎に接触した際、植毛台２０が、図２（ａ）に示すように上下方向（矢印Ｙ１方向）に可動することができると共に、図２（ｂ）に示すように左右方向（矢印Ｙ２方向）に可動することができることとなるから、植毛部２（複数の毛束２１）に伝わる圧力がより緩和され、もって、使用者の歯と歯茎への衝撃がより緩和されることとなる。これにより、歯と歯茎により優しい歯ブラシを提供することが可能となる。
【００２５】
以上のことから、連結部本体４０の先端４０ｂは、植毛台２０の先端２０ｂ１側に位置する下面２０ｂに一体的に連結した方が好ましい。
【００２６】
他方、植毛台２０が、上下方向（図２（ａ）に示す矢印Ｙ１方向）に可動できれば、すなわち、連結部本体４０（連結部４）と植毛台２０の下面２０ｂとの間に空間Ｓ（図１（ａ），図２（ａ）参照）が形成できれば、連結部本体４０の先端４０ｂを、植毛台２０の側面２０ｃ（図１（ａ），図２（ａ）参照）に一体的に連結しても良い。しかしながら、歯磨きを行う際、連結部４が使用者の口腔内に頻繁に接触する可能性があり、もって、使用者が不快感を抱く可能性があるため、連結部本体４０の先端４０ｂを、植毛台２０の側面２０ｃ（図１（ａ），図２（ａ）参照）に一体的に連結しない方が好ましい。
【００２７】
一方、本実施形態においては、連結部本体４０の先端４０ｂを植毛台２０に一体的に連結する例を示したが、それに限らず、連結部本体４０の先端４０ｂよりやや基端４０ａよりを植毛台２０に一体的に連結する等、連結部本体４０の先端４０ｂ側を植毛台２０に一体的に連結するのであれば、どの箇所でも良い。
【符号の説明】
【００２８】
１          歯ブラシ
２          植毛部
３          ハンドル部
３ａ        先端
４          連結部
２０        植毛台
２１        毛束
４０        連結部本体
４０ａ      基端
４０ｂ      先端
Ｓ          空間（空隙）
Ｙ１，Ｙ２  矢印
【図１】
2019216908.tif 000003
【図２】
2019216908.tif 000004